(57)【要約】【課題】乾燥効果が高く、利便性に優れた乾燥剤入り容器を提供すること。【解決手段】乾燥剤入り容器１は、上方及び下方に開口する筒状をなし、内部に粒状の調味料４が収容される容器本体１０であって、その上方の開口１２に調味料４が取り出される取出口１６Ａが設けられ、その下方の開口１４から調味料４が補充される容器本体１０と、容器本体１０の上方の開口１２を閉塞する上蓋２０と、容器本体１０の下方の開口１４を閉塞する下蓋３０と、乾燥剤を保持する保持部４０と、を備え、保持部４０が下蓋３０の内面から容器本体１０の上方に向かって立設されていることを特徴とする。【選択図】図１
0003200222.tif 000002
【実用新案登録請求の範囲】
【請求項１】
上方及び下方に開口する筒状をなし、内部に粒状の収容物が収容される容器本体であって、その上方の開口に前記収容物が取り出される取出口が設けられ、その下方の開口から前記収容物が補充される容器本体と、
前記容器本体の前記上方の開口を閉塞する上蓋と、
前記容器本体の前記下方の開口を閉塞する下蓋と、
乾燥剤を保持する保持部と、を備え、
前記保持部が前記下蓋の内面から前記容器本体の上方に向かって立設されていることを特徴とする乾燥剤入り容器。
【請求項２】
前記保持部は、クリップ状の部材とされ、前記乾燥剤が内包された乾燥剤袋を挟み込むことで該袋を前記下蓋の内面上に立てられた状態で保持する、請求項１に記載の乾燥剤入り容器。
【請求項３】
前記保持部は、籠状の部材とされ、平面視においてその外周が円形状をなすとともに内部に前記乾燥剤が収容されている、請求項１に記載の乾燥剤入り容器。
【請求項４】
前記保持部は弾性を有し、
前記下蓋の内面側に、前記保持部が弾性変形されて取り付けられる取付部が設けられている、請求項１から請求項３のいずれか１項に記載の乾燥剤入り容器。
【請求項５】
前記下蓋の内面側に該下蓋に対して相対的に回転可能に支持された円板状の円板部材をさらに備え、
前記取付部が前記円板部材に設けられている、請求項４に記載の乾燥剤入り容器。
【考案の詳細な説明】
【技術分野】
【０００１】
本考案は、乾燥剤入り容器に関する。
【背景技術】
【０００２】
従来、食塩や胡椒等の粒状の収容物が収容される筒状の容器において、上方及び下方に開口することで下方の開口から収容物を補充でき、さらに容器内の底部に収容物の吸湿を抑制するための乾燥剤が配されるものが知られている。例えば、下記特許文献１には、上方及び下方に開口する筒状体からなり、容器の底部に乾燥剤が配される顆粒体用容器が開示されている。また、下記特許文献２には、上方及び下方に開口する容器本体の主室に粉体状の保存物を収容可能とされ、容器本体の底部に乾燥剤等の保存剤が配される密閉容器が開示されている。
【先行技術文献】
【特許文献】
【０００３】
【特許文献１】登録実用新案第３０５９４１３号公報
【特許文献２】特開２００２−１９３２６２号公報
【考案の概要】
【考案が解決しようとする課題】
【０００４】
しかしながら、上記特許文献１に開示される顆粒体容器及び上記特許文献２に開示される密閉容器は、いずれも容器の下方の開口が内側の蓋と外側の蓋とによって閉じられる、いわゆる二重底構造とされており、内側の蓋に通気孔が形成されるとともに、内側の蓋と外側の蓋との間に形成される空間（小空間、副室）に乾燥剤が配される構成となっている。このため、容器内のうち容器の底部から離れた位置では、乾燥剤による収容物の乾燥効果を十分に得られない虞があった。また、容器の下方の開口から容器内に収容物を補充する際、外側の蓋だけでなく内側の蓋を取り外す必要があり、利便性に欠けるものであった。
【０００５】
本考案は、上記の課題に鑑みて創作されたものであって、乾燥効果が高く、利便性に優れた乾燥剤入り容器を提供することを目的とする。
【課題を解決するための手段】
【０００６】
本考案の乾燥剤入り容器は、上方及び下方に開口する筒状をなし、内部に粒状の収容物が収容される容器本体であって、その上方の開口に前記収容物が取り出される取出口が設けられ、その下方の開口から前記収容物が補充される容器本体と、前記容器本体の前記上方の開口を閉塞する上蓋と、前記容器本体の前記下方の開口を閉塞する下蓋と、乾燥剤を保持する保持部と、を備え、前記保持部が前記下蓋の内面から前記容器本体の上方に向かって立設されていることを特徴とする。なお、本明細書でいう「粒状」には、粉状や小片状のものも含むものとする。
【０００７】
上記の乾燥剤入り容器では、乾燥剤を保持する保持部が下蓋の内面から容器本体の上方に向かって立設されているため、容器本体内において乾燥剤が保持部の高さ位置と略等しい高さ位置まで配された状態とされる。このため、例えば下蓋の近傍に乾燥剤が配された従来の構成と比べて、容器本体内に収容された収容物が全体に亘って乾燥剤と近接し、収容物の乾燥効果を高めることができる。
【０００８】
さらに、上記の乾燥剤入り容器では、下蓋の内面に乾燥剤を保持する保持部が直接配されるため、容器本体から下蓋を取り外すのみで下蓋と共に乾燥剤を容器本体から取り外すことができ、その後に収容物を容器本体の下方の開口から容器本体内に補充することができる。このため、例えば容器本体の下方の開口が二重底構造とされた構成と比べて収容物の補充を手早く行うことができる。このように上記の乾燥剤入り容器は、乾燥効果が高く、利便性に優れている。
【０００９】
上記の乾燥剤入り容器において、前記保持部は、クリップ状の部材とされ、前記乾燥剤が内包された乾燥剤袋を挟み込むことで該袋を前記下蓋の内面上に立てられた状態で保持してもよい。
【００１０】
この構成によると、乾燥剤が内包された乾燥剤袋を保持部から取り出すことで、乾燥剤を容易に交換することができる。
【００１１】
上記の乾燥剤入り容器において、前記保持部は、籠状の部材とされ、平面視においてその外周が円形状をなすとともに内部に前記乾燥剤が収容されていてもよい。
【００１２】
この構成によると、保持部の平面視における外周が円形状をなすため、下蓋を保持部と共に回転させても、容器本体内の収容物が保持部と共に回転し難い。このため、下蓋がネジ締め式である場合、容器本体内に収容物を補充した後、容器本体の下方の開口に下蓋を締める際に、下蓋を締め易くすることができる。
【００１３】
上記の乾燥剤入り容器において、前記保持部は弾性を有し、前記下蓋の内面側に、前記保持部が弾性変形されて取り付けられる取付部が設けられていてもよい。
【００１４】
この構成によると、保持部を弾性変形させることで、保持部を下蓋の内面側に対して着脱可能とすることができ、乾燥剤を交換し易くすることができる。
【００１５】
上記の乾燥剤入り容器は、前記下蓋の内面側に該下蓋に対して相対的に回転可能に支持された円板状の円板部材をさらに備え、前記取付部が前記円板部材に設けられていてもよい。
【００１６】
この構成によると、容器本体の下方の開口に下蓋を締める際、保持部が収容物の影響を受け、保持部が取り付けられた取付部を有する円板部材が回転し難くなるため、円板部材が下蓋と同時には回転せず、下蓋が円板部材に対して相対的に回転する。このため、下蓋を締める際に、下蓋と共に保持部が回転することによって収容物が撹拌されることを抑制することができる。また、下蓋を回転させる際に収容物の影響を受け難くなるため、下蓋を回転し易くすることができる。
【考案の効果】
【００１７】
本考案によれば、乾燥効果が高く、利便性に優れた乾燥剤入り容器を提供することができる。
【図面の簡単な説明】
【００１８】
【図１】実施形態１に係る乾燥剤入り容器の断面図
【図２】乾燥剤入り容器の分解斜視図
【図３】取付部が設けられた下蓋の斜視図
【図４】乾燥剤袋を保持部に保持させる態様を示す斜視図
【図５】実施形態１の変形例に係る乾燥剤入り容器の断面図
【図６】下蓋及び円板部材の斜視図
【図７】実施形態２に係る乾燥剤入り容器の断面図
【図８】保持部及び取付部の斜視図
【図９】取付部が設けられた下蓋を上方から視た平面図
【考案を実施するための形態】
【００１９】
＜実施形態１＞
図１から図４を参照して実施形態１を説明する。本実施形態では、図１に示す乾燥剤入り容器１を例示する。乾燥剤入り容器１は、食塩や胡椒等の粒状（粉状、小片状）の調味料（収容物の一例）４が収容される食卓用の容器であって、内部に乾燥剤が内包された乾燥剤袋８が入れられている。以下では、図１における上側を乾燥剤入り容器１の上方とし、図１における下側を乾燥剤入り容器１の下方とする。
【００２０】
乾燥剤入り容器１は、図１及び図２に示すように、上方及び下方に開口する略円筒状の容器本体１０と、容器本体１０の上方の開口１２を閉塞する上蓋２０と、容器本体１０の下方の開口１４を閉塞する下蓋３０と、乾燥剤が内包された乾燥剤袋８が保持され、容器本体１０内に配された保持部４０と、を備えている。容器本体１０は、ガラス瓶であり、下方の開口１４が上方の開口１２より大きくなっている。
【００２１】
容器本体１０の上方の開口１２には、図１及び図２に示すように、その上面に容器本体１０内に収容された調味料４が取り出される複数の取出口１６Ａが設けられた取出部１６が取り付けられている。上方の開口１２の外周面には、雄ネジ１２Ａが形成されている。容器本体１０の下方の開口１４からは、調味料４を補充できるようになっている。下方の開口１４の外周面には、雄ネジ１４Ａが形成されている。
【００２２】
上蓋２０は、図１及び図２に示すように、その内周面に雌ネジ２０Ａが形成されており、上方の開口１２の雄ネジ１２Ａに螺着されることで上方の開口１２を閉塞する。この上蓋２０の内面側には、防水のための図示しないパッキンが配されている。下蓋３０は、その内周面に雌ネジ３０Ａが形成されており、下方の開口１４の雄ネジ１４Ａに螺着されることで下方の開口１４を閉塞する。下蓋３０の下面は平坦面とされ、乾燥剤入り容器１を例えば食卓用テーブル上に安定して載置できるようになっている。
【００２３】
下蓋３０の内面には、図３に示すように、後述する保持部４０が取り付けられる一対の取付部３２が設けられている。一対の取付部３２は、それぞれ下蓋３０の内面から垂直に立ち上がるとともに一方向に延在する立壁状をなしており、所定の間隔を空けて平行に対向した形で配されている。各取付部３２の内面には、図３に示すように、その延在方向に沿って溝状をなす断面視略Ｕ字状の溝部３２Ａが設けられている。また、各取付部３２の内面のうち溝部３２Ａより上方の部分は、上方から下方に向かって内側に傾斜する傾斜面となっている。
【００２４】
次に、上記取付部３２に取り付けられる保持部４０について詳しく説明する。なお、保持部４０には、乾燥剤が内包された乾燥剤袋８が保持される。この乾燥剤袋８は、図１及び図４に示すように、矩形状をなし、その四方が高周波ミシン閉じ又は糊閉じによって閉じられている。乾燥剤袋８に内包される乾燥剤としては、例えばシリカゲルや生石灰が挙げられる。
【００２５】
保持部４０は、弾性を有する合成樹脂製の部材であり、図４に示すように、その上端部が屈曲する屈曲部４０Ａとされ、屈曲部４０Ａを介して連なる２つの部分が互いに対向する対向部４０Ｂとされた略クリップ状をなしている。保持部４０は、下蓋３０の取付部３２に取り付けられることで、下蓋３０の内面から容器本体１０の上方に向かって立設された状態とされる。
【００２６】
保持部４０は、図４に示すように、上端部及び下端部を除く部分が略格子状の骨格をなしており、これにより軽量化及び通気性の向上が図られている。保持部４０のうち略格子状の骨格をなす部分には、図１及び図４に示すように、異なる高さ位置から保持部４０の内側に向かって水平に迫り出す２つの迫り出し部４２がそれぞれ設けられている。２つの迫り出し部４２は、各対向部４０Ｂから互い違い状となるように迫り出している。
【００２７】
保持部４０の各対向部４０Ｂの下端部には、図１及び図４に示すように、保持部４０の外側に向かって水平に鍔状に突出する鍔部４４がそれぞれ設けられている。各鍔部４４は、その突出する先端部が曲面状となっており、下蓋３０の各取付部３２に設けられた溝部３２Ａに嵌合可能な大きさで設けられている。
【００２８】
以上のような構成とされた保持部４０には、乾燥剤が内包された乾燥剤袋８を次のようにして保持させることができる。即ち、クリップ状の保持部４０の両対向部４０Ｂを外側に開き、両対向部４０Ｂの間に乾燥剤袋８を立てた状態で挟み込んで両対向部４０Ｂを閉じる。すると、図１に示すように、乾燥剤袋８の一部が各迫り出し部４２に押圧されて各迫り出し部４２に引っ掛かった状態となり、両対向部４０Ｂの間に挟み込まれた乾燥剤袋８が両対向部４０Ｂの間で保持される。
【００２９】
乾燥剤袋８が保持された保持部４０を下蓋３０の取付部３２に取り付ける場合には、保持部４０を把持することで保持部４０の各対向部４０Ｂの下端部を内側に弾性変形させ、保持部４０の下端部を下蓋３０の両取付部３２の間に押し込む。これにより、保持部４０の下端が両取付部３２の傾斜面に沿って下方に案内され、保持部４０の下端を両取付部３２の間に入り込ませることができる。
【００３０】
そして、保持部４０の両鍔部４４が各取付部３２の溝部３２Ａと同じ高さ位置となるまで保持部４０が押し込まれると、保持部４０が弾性復帰して各鍔部４４が各溝部３２Ａに嵌合され、これにより保持部４０が取付部３２に取り付けられる。一方、保持部４０を取付部３２から取り外す場合には、保持部４０の下端部を押圧して内側に弾性変形させることで各鍔部４４が各溝部３２Ａから抜けるので、そのまま保持部４０を上方へ持ち上げることで、保持部４０を取付部３２から容易に取り外すことができる。
【００３１】
さて、以上説明したように本実施形態の乾燥剤入り容器１では、乾燥剤袋８を保持する保持部４０が下蓋３０の取付部３２に取り付けられることで、保持部４０が下蓋３０の内面から容器本体１０の上方に向かって立設され、図１に示すように、容器本体１０内において乾燥剤袋８が保持部４０の高さ位置と略等しい高さ位置まで配された状態とされる。このため、例えば下蓋の近傍に乾燥剤（乾燥剤袋）が配された従来の構成や下方の開口が二重底構造とされた従来の構成と比べて、容器本体１０内に収容された調味料４が全体に亘って乾燥剤袋８と近接し、調味料４の乾燥効果を高めることができる。
【００３２】
さらに、本実施形態の乾燥剤入り容器１では、下蓋３０の内面に乾燥剤袋８を保持する保持部４０が直接配されるため、容器本体１０から下蓋３０を取り外すのみで下蓋３０と共に乾燥剤袋８を容器本体１０から取り外すことができ、その後に調味料４を容器本体１０の下方の開口１４から容器本体１０内に補充することができる。このため、例えば容器本体の下方の開口が二重底構造とされた構成と比べて調味料４の補充を手早く行うことができる。以上のように本実施形態の乾燥剤入り容器１は、乾燥効果が高く、利便性に優れている。
【００３３】
また、本実施形態の乾燥剤入り容器１では、保持部４０が乾燥剤袋８を挟み込み可能なクリップ状の部材とされており、保持部４０を弾性変形させることで下蓋３０の取付部３２に取り付けることができる。このため、保持部４０を下蓋３０の内面に対して着脱可能とすることができ、取付部３２から取り外された保持部４０から乾燥剤袋８を取り出すことで、乾燥剤袋８を容易に交換することができる。
【００３４】
＜実施形態１の変形例＞
続いて図５及び図６を参照して実施形態１の変形例を説明する。本変形例に係る乾燥剤入り容器５１は、下蓋３１の内面側に支持された円板部材６０を備える点で、実施形態１のものと異なっている。乾燥剤入り容器５１のその他の構成については、実施形態１の乾燥剤入り容器１と同様であるため、構造、作用、及び効果の説明は省略する。
【００３５】
本変形例に係る乾燥剤入り容器５１では、図５に示すように、下蓋３１の内面側に支持された円板部材６０を備えている。円板部材６０は、図６に示すように、薄い円板状とされ、その内面に取付部３２が設けられている。一方、下蓋３１の内周面には、当該下蓋３１の内面の近傍に雌ネジ３１Ａとは異なる円形溝３１Ｂが形成されている。この円形溝３１Ｂは、下蓋３１の内周端に沿った円形の溝状をなしている。そして、円板部材６０は、その外周端が上記円形溝３１Ｂに嵌り込んだ状態で配されており、これにより、下蓋３１の内面側において当該下蓋３１に対して相対的に回転可能に支持されている。
【００３６】
本変形例に係る乾燥剤入り容器５１が上記のような構成とされていることで、容器本体１０の下方の開口１４に下蓋３１を締める際、保持部４０が調味料４の影響を受け、保持部４０が取り付けられた取付部３２を有する円板部材６０が回転し難くなるため、円板部材６０が下蓋３１と同時には回転せず、下蓋３１が円板部材６０に対して相対的に回転する。このため、下蓋３１を締める際に、下蓋３１と共に保持部４０が回転することによって調味料４が撹拌されることを抑制することができる。また、下蓋３１を回転させる際に調味料４の影響を受け難くなるため、下蓋３１を回転し易くすることができる。
【００３７】
＜実施形態２＞
図７から図９を参照して実施形態２を説明する。本実施形態の乾燥剤入り容器１０１は、下蓋１３０に設けられた取付部１３２の構成及び乾燥剤１０８を保持する保持部１４０の構成が実施形態１のものと異なっている。その他の構成については実施形態１のものと同様であるため、構造、作用、及び効果の説明は省略する。
【００３８】
実施形態２に係る乾燥剤入り容器１０１では、図７から図９に示すように、下蓋１３０の内面の略中央部に略円柱状をなす取付部１３２が設けられている。取付部１３２の上面には円形状の開口１３２Ａが設けられており、その内部に当該開口１３２Ａの開口径よりも内径が大きな空間１３２Ｂが設けられている（図９参照）。
【００３９】
保持部１４０は、弾性を有する合成樹脂製の部材であり、図７及び図８に示すように、その上部が先窄み状とされた籠状（弾丸状）の部材とされる。このため、保持部１４０は、平面視においてその外周が円形状をなしている。保持部１４０は、下蓋１３０の取付部１３２に取り付けられることで、下蓋１３０の内面から容器本体１０の上方に向かって立設された状態とされる。
【００４０】
保持部１４０には、微細な網目をなす網によって囲まれた収容空間１４０Ａが保持部１４０の上端部から上下方向に３つ並んで設けられている。そして、これらの各収容空間１４０Ａ内には、シリカゲル等の乾燥剤１０８が複数収容されている（図７参照）。また、保持部１４０の下端部には、図８に示すように、内側に向かって弾性変形可能な３つの弾性片１４２が保持部１４０の中心軸周りに等間隔で設けられている。
【００４１】
保持部１４０の下端部に設けられた各弾性片１４２は、その先端部（最下部）が外側に突出する爪状をなしており、この爪状をなす部分が下蓋１３０の取付部１３２に設けられた空間１３２Ｂ内に収容可能な大きさで設けられている。以上のような構成とされた本実施形態の乾燥剤入り容器１０１では、各収容空間１４０Ａ内に乾燥剤１０８が収容された保持部１４０を保持部１４０ごと交換することで、乾燥剤１０８を交換することができる。
【００４２】
保持部１４０を下蓋１３０の取付部１３２に取り付ける場合には、保持部１４０の下端部を押圧することで各弾性片１４２を内側に弾性変形させ、各弾性片１４２の爪状の部位を取付部１３２の開口１３２Ａから取付部１３２の空間１３２Ｂ内に収容する。そして、各弾性片１４２の爪状の部位が空間１３２Ｂ内に収容されると、各弾性片１４２が弾性復帰して各弾性片１４２の爪状の部位が空間１３２Ｂ内において開口１３２Ａの開口縁に引っ掛かり、これにより保持部１４０が取付部１３２に取り付けられる。
【００４３】
一方、保持部１４０を取付部１３２から取り外す場合には、保持部１４０の下端部を押圧することで各弾性片１４２を内側に弾性変形させ、そのまま保持部１４０を上方へ持ち上げることで、保持部１４０を取付部１３２の開口１３２Ａから容易に取り外すことができる。
【００４４】
以上説明したように本実施形態の乾燥剤入り容器１０１では、乾燥剤１０８が収容された保持部１４０が下蓋１３０の取付部１３２に取り付けられることで、実施形態１と同様に、容器本体１０内において乾燥剤１０８が保持部１４０の高さ位置と略等しい高さ位置まで配された状態とされる。このため、容器本体１０内に収容された調味料４が全体に亘って乾燥剤１０８と近接し、調味料４の乾燥効果を高めることができる。
【００４５】
また、本実施形態の乾燥剤入り容器１０１では、保持部１４０の平面視における外周が円形状をなすため、取付部１３２に保持部１４０が取り付けられた下蓋１３０を容器本体１０の下方の開口１４に螺着する際、下蓋１３０を保持部１４０と共に回転させても、容器本体１０内に収容された調味料４が保持部１４０と共に回転し難い。このため、容器本体１０内に調味料４を補充した後、容器本体１０の下方の開口１４に下蓋１３０を螺着する際に、下蓋１３０を螺着し易くすることができ、乾燥剤１０８の補充作業の作業性を高めることができる。
【００４６】
上記の各実施形態の変形例を以下に列挙する。
（１）上記の各実施形態では、乾燥剤の一例としてシリカゲルや生石灰を例示したが、その他の固体状の乾燥剤についても適用可能である。
【００４７】
（２）上記の各実施形態では、容器本体がガラス瓶とされた構成を例示したが、容器本体の材質や形状、大きさ等は限定されない。
【００４８】
（３）上記の各実施形態では、乾燥剤入り容器に収容される収容物の一例として塩等の粒状の調味料を例示したが、乾燥剤入り容器に収容される収容物については、粉状や小片状のものであってもよく、調味料以外のものであってもよい。小片状の収容物の一例としては、刻まれた海藻類や漢方薬、細かく砕かれた菓子類等を挙げることができる。また、収容物の大きさに応じて、容器本体の上方に取出部を備えない構成とすることもできる。
【符号の説明】
【００４９】
１、５１、１０１…乾燥剤入り容器
４…調味料
８…乾燥剤袋
１０…容器本体
１２…上方の開口
１４…下方の開口
１６…取出部
１６Ａ…取出口
２０…上蓋
３０、３１、１３０…下蓋
３２、１３２…取付部
４０、１４０…保持部
４０Ａ…屈曲部
４０Ｂ…対向部
４２…迫り出し部
４４…鍔部
６０…円形部材
１０８…乾燥剤
１４０Ａ…収容空間
１４２…弾性片
【図１】
0003200222.tif 000003
【図２】
0003200222.tif 000004
【図３】
0003200222.tif 000005
【図４】
0003200222.tif 000006
【図５】
0003200222.tif 000007
【図６】
0003200222.tif 000008
【図７】
0003200222.tif 000009
【図８】
0003200222.tif 000010
【図９】
0003200222.tif 000011